(57)【要約】  【課題】  利用開始当初から糊状充填物の全てを絞り出すまで、その外的美感を損ねることなく保つことができ、しかも絞り出した後のインナーチューブ内に外気などが進入してしまうのを確実に防止できる新たな糊状充填物用の容器技術を提供する。  【解決手段】  硬質筒状体２０の一端に施蓋端２１を、同他端にボトム端２２を夫々形成した外装容器本体２を設け、該外装容器本体２内には、糊状充填物Ｐを収容してあるインナーチューブ３を収納すると共に、同インナーチューブ３開口部３１を、外装容器本体２施蓋端２１にノズル蓋５連結用の緊締機構４で回転不能に仮固定する一方、同インナーチューブ３被嵌合部３４を、外装容器本体２ボトム端２２に対し、回転自在に装着するボトムダイヤル８に回転不能とした上、該ボトムダイヤル８と、それに対峙する外装容器本体２との間に逆転防止機構７を組み込んでなる絞り出し容器１である。【選択図】    図１
2011219137.tif 000002
【特許請求の範囲】
【請求項１】
片手で把持可能な外径に設定した硬質筒状体の一端に、ノズル蓋装着用の緊締機構を有する施蓋端を形成し、それとは反対がわの他端に、自立用接地底部を一体形成したボトムダイヤル装着用の軸着機構を有するボトム端を形成した外装容器本体を設け、該外装容器本体内には、同外装容器本体内径よりも小さな外径に設定し、糊状充填物を収容してなる軟質袋部の、当該施蓋端に対応する一端に、当該緊締機構に固定可能な共締め縁を有する開口部を、また当該ボトム端に対応する他端に、当該ボトムダイヤルの接地底部とは反対がわとなる軸着機構がわ適所に形成した嵌合部へ嵌合可能とする被嵌合部を夫々形成したインナーチューブを、装着、脱着自在に収納すると共に、同インナーチューブ開口部共締め縁を、当該外装容器本体施蓋端にノズル蓋連結用の緊締機構で回転不能に仮固定する一方、同インナーチューブ被嵌合部を、当該外装容器本体ボトム端に対し、軸着機構を介して同心状回転自在に装着するボトムダイヤルの嵌合部に回転不能に嵌合した上、該ボトムダイヤル適所周囲と、それに対峙する当該外装容器本体ボトム端適所周囲との間に、同外装容器本体に対するボトムダイヤルの回転方向を一方向に規制可能とし、且つその回転停止位置を保持可能な逆転防止機構を組み込んでなるものとしたことを特徴とする絞り出し容器。
【請求項２】
片手で把持可能な外径に設定した硬質筒状体の一端に、ノズル蓋装着用の緊締機構を有する施蓋端を形成し、それとは反対がわの他端に、自立用接地底部を一体形成したボトムダイヤル装着用の軸着機構を有するボトム端を形成した外装容器本体を設け、該外装容器本体内には、同外装容器本体内径よりも小さな外径に設定し、糊状充填物を収容してなる軟質袋部の、当該施蓋端に対応する一端に、当該緊締機構に固定可能な共締め縁を有する開口部を、また当該ボトム端に対応する他端に、当該ボトムダイヤルの接地底部とは反対がわとなる軸着機構がわ適所に形成した嵌合部へ嵌合可能とする被嵌合部を夫々形成したインナーチューブを、装着、脱着自在に収納すると共に、同インナーチューブ開口部共締め縁を、当該外装容器本体施蓋端にノズル蓋連結用の緊締機構で回転不能に仮固定する一方、同インナーチューブ被嵌合部を、当該外装容器本体ボトム端に対し、軸着機構を介して同心状回転自在に装着するボトムダイヤルの嵌合部に回転不能に嵌合した上、該ボトムダイヤル適所周囲と、それに対峙する当該外装容器本体ボトム端適所周囲との間に、同外装容器本体に対するボトムダイヤルの回転方向を一方向に規制可能とし、且つその回転停止位置を保持可能な逆転防止機構を組み込み、当該外装容器本体に対し、ボトムダイヤルを該逆転防止機構の規制に従って適宜回転操作し、その回転量に応じた容量の糊状充填物を当該ノズル蓋のノズルを通じて供給対象位置に送出可能にしてなるものとしたことを特徴とする絞り出し容器。
【請求項３】
緊締機構が、外装容器本体の短円筒状に形成した施蓋端の外周壁に刻設した雄ネジと、ノズル蓋の短円筒状に形成した装着端内周壁に刻設した雌ネジとからなり、該外装容器本体の環状施蓋端と、ノズル蓋のノズル座面壁との間に、インナーチューブ開口部の直径方向に突設した共締め縁である環状フランジ部を挟み込み仮固定可能なものとしてなる、請求項１または２何れか一方記載の絞り出し容器。
【請求項４】
インナーチューブの被嵌合部が、ボトムダイヤル内の中心に対応する短軸部と、同短軸部から均衡する遠心方向に突出する複数本のレバー部とからなり、ボトムダイヤルの嵌合部が、ボトムダイヤル内の中心にあって、該短軸部が嵌合可能な軸嵌合穴と、各レバー部が嵌合可能な複数のレバー嵌合溝とからなるものとした、請求項１ないし３何れか一項記載の絞り出し容器。
【請求項５】
逆転防止機構が、外装容器本体ボトム端寄りの外周壁に形成した環状段差壁に同心状配置で一体化した本体冠爪車、および、ボトムダイヤルの該外装容器本体ボトム端寄りの環状段差壁に対峙する環状端に同心状配置で一体化したボトム冠爪車を互いに噛合すると共に、それら外装容器本体、本体冠爪車、ボトムダイヤル、ボトム冠爪車の少なくとも何れか一つの弾性変形で、互いの冠爪車の冠爪同士の一方向への乗り越え回転を可能なものとしてなる、請求項１ないし４何れか一項記載の絞り出し容器。                                                            
【発明の詳細な説明】
【技術分野】
【０００１】
この発明は、ペースト状やゼリー状、ゲル状など糊状物質の保管と利用技術に関連するものであり、特にペースト状やゼリー状、ゲル状など糊状物質を充填、保管し、必要量を、その都度絞り出して利用可能とする絞り出し容器に係わるもので、それらを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                  
【背景技術】
【０００２】
（着目点）
ペースト状やゼリー状、ゲル状など糊状物質の食品やその他の半個体、半液体などの様々な物質や商品などを衛生的且つ安全に取り扱い、輸送、保管、陳列、販売、利用などを可能とし、利用の都度、必要となる分量毎を利用し、残量分は、次回以降の利用まで劣化しないよう密閉状に保管可能としてなるチューブ入りや瓶詰め製品などには、例えば、キャップ付き軟質チューブ入りの練り山葵、洋からし、おろし大蒜などの各種香辛料類やマヨネーズ、ケチャップソース、味噌などの各種調味料、キャップ付き軟質樹脂製ボトルに充填した半個体状のチョコレートやジャム、ゼリー、生クリーム、バター、マーガリンなどの各種ペースト状あるいはゼリー状の菓子類や、油脂類、蜂蜜や水飴、シロップなどといった各種甘味料類の外、歯磨き、糊、接着剤などの各種生活用品類や工業用品類などと様々なものに採用されているが、各種チューブ入りの製品は、それら糊状充填物を絞り出してもチューブ内に外気が入りにくく、密閉保管し易いという利点を有する反面、充填物を絞り出して行くと次第に変形し、外観が悪化してしまうという欠点があり、また、軟質樹脂製ボトル製品は、糊状充填物を絞り出しても、その弾性復帰力によって元の外郭形状を維持することから外観的美感を損ねることがなく、例えば家庭の食卓や冷蔵庫内などに立てたまま保管することができるものの、ボトル形状の復帰に伴い、ボトル内部に外気が進入してしまって衛生的な保管が困難であると同時に、再度使用するときの絞り出し反応を悪くしてしまう場合が生じるなどといった難点があった。
【０００３】
（従来の技術）
こうした状況を憂慮し、例えば、下記の特許文献１（１）に提案されているものに代表されるように、軟質樹脂製の容器本体を蛇腹状に形成して、糊状充填物の充填工程で容器本体内に空気が進入するのを防止可能としたものや、同特許文献１（２）に見られるように、硬質素材製外筒の一端にノズルを設け、同外筒の他端を開口し、この外筒の他端開口から、糊状充填物充填済みで、軟質素材製蛇腹状の食品収容容器を、その先端がわから差込み、収納し、同食品収容容器先端の外周壁雄ネジ部を、当該外筒のノズル基部雌ネジ部に螺着すると共に、この外筒の他端開口から、食品収容容器の他端がわを押し込むよう操作可能な押出し盤部を摺動自在に組み込み、糊状充填物の絞り出し後においても、その外観形状を元の形状に維持可能としてなるものなどが散見される。
【０００４】
しかし、前者特許文献１（１）に示されているような軟質樹脂製容器本体を蛇腹状に形成したものは、糊状充填物を絞り出すに従って外観形状が次第に変化してしまう上、柔軟な容器本体は、卓上に安定的に自立し難く、不安定で倒れ易いという欠点を有しており、後者特許文献１（２）の硬質外筒の底部に押出し盤部を摺動自在に組み込んでなるものなどは、卓上などに安定的に自立させて保管できるものの、ノズルをキャップなどで塞がずに自立姿勢で保管すると、押出し盤部の摺動部分が災いして、糊状充填物の自重で食品収容容器底部がわが次第に降下し、食品収容容器内に外気が進入してしまう虞を生じさせてしまうという致命的な欠点があった。                                                                                      
【特許文献１】（１）実用新案登録第３００２６６６号公報    （２）実開平７−５５３７号公報
【発明の開示】
【発明が解決しようとする課題】
【０００５】
（問題意識）
上述したとおり、従前までに提案のある各種軟質樹脂製容器本体などは、何れも使用開始当初の外観形状が、糊状充填物の絞り出しが進むに従って次第に変形してしまい、外的美感を保てないものであり、また、卓上用の絞り出し器などは、ノズルキャップを閉め忘れたときなどに食品収容容器内に外気が進入してしまって糊状充填物の劣化を招く虞があり、こうしたチューブ入り製品やボトル入り製品などを利用するペースト状やゲル状、ゼリー状といった糊状各種食品類や各種家庭用品類、各種工業用品類などを製造、販売する各種業界などにおいては勿論のこと、一般消費者にあっても、糊状充填物の絞り出しに伴う外観の悪化や、食品収容容器内への外気の進入弊害をはじめ、使い勝手などの観点から、それらを確実に防止可能とする新たな絞り出し用容器の改良開発が待望視されているといえる。
【０００６】
（発明の目的）
そこで、この発明は、利用開始当初から糊状充填物の全てを絞り出すまで、その外的美感を損ねることなく持続することができ、しかも絞り出した後のインナーチューブ内に外気などが進入してしまうを確実に防止できる上、絞り出し操作性も良くなるようにした新たな糊状充填物用容器技術の開発はできないものかとの判断から、逸速くその開発、研究に着手し、長期に渡る試行錯誤と幾多の試作、実験とを繰り返してきた結果、今回、遂に新規な構造の絞り出し容器を実現化することに成功したものであり、以下では、図面に示すこの発明を代表する実施例と共に、その構成を詳述することとする。                                                                                  
【課題を解決するための手段】
【０００７】
（発明の構成）
図面に示すこの発明を代表する実施例からも明確に理解されるように、この発明の絞り出し容器は、基本的に次のような構成から成り立っている。
即ち、片手で把持可能な外径に設定した硬質筒状体の一端に、ノズル蓋装着用の緊締機構を有する施蓋端を形成し、それとは反対がわの他端に、自立用接地底部を一体形成したボトムダイヤル装着用の軸着機構を有するボトム端を形成した外装容器本体を設け、該外装容器本体内には、同外装容器本体内径よりも小さな外径に設定し、糊状充填物を収容してなる軟質袋部の、当該施蓋端に対応する一端に、当該緊締機構に固定可能な共締め縁を有する開口部を、また当該ボトム端に対応する他端に、当該ボトムダイヤルの接地底部とは反対がわとなる軸着機構がわ適所に形成した嵌合部へ嵌合可能とする被嵌合部を夫々形成したインナーチューブを、装着、脱着自在に収納すると共に、同インナーチューブ開口部共締め縁を、当該外装容器本体施蓋端にノズル蓋連結用の緊締機構で回転不能に仮固定する一方、同インナーチューブ被嵌合部を、当該外装容器本体ボトム端に対し、軸着機構を介して同心状回転自在に装着するボトムダイヤルの嵌合部に回転不能に嵌合した上、該ボトムダイヤル適所周囲と、それに対峙する当該外装容器本体ボトム端適所周囲との間に、同外装容器本体に対するボトムダイヤルの回転方向を一方向に規制可能とし、且つその回転停止位置を保持可能な逆転防止機構を組み込んでなるものとした構成を要旨とする絞り出し容器である。
【０００８】
この基本的な構成からなる絞り出し容器は、その表現を変えて示すならば、片手で把持可能な外径に設定した硬質筒状体の一端に、ノズル蓋装着用の緊締機構を有する施蓋端を形成し、それとは反対がわの他端に、自立用接地底部を一体形成したボトムダイヤル装着用の軸着機構を有するボトム端を形成した外装容器本体を設け、該外装容器本体内には、同外装容器本体内径よりも小さな外径に設定し、糊状充填物を収容してなる軟質袋部の、当該施蓋端に対応する一端に、当該緊締機構に固定可能な共締め縁を有する開口部を、また当該ボトム端に対応する他端に、当該ボトムダイヤルの接地底部とは反対がわとなる軸着機構がわ適所に形成した嵌合部へ嵌合可能とする被嵌合部を夫々形成したインナーチューブを、装着、脱着自在に収納すると共に、同インナーチューブ開口部共締め縁を、当該外装容器本体施蓋端にノズル蓋連結用の緊締機構で回転不能に仮固定する一方、同インナーチューブ被嵌合部を、当該外装容器本体ボトム端に対し、軸着機構を介して同心状回転自在に装着するボトムダイヤルの嵌合部に回転不能に嵌合した上、該ボトムダイヤル適所周囲と、それに対峙する当該外装容器本体ボトム端適所周囲との間に、同外装容器本体に対するボトムダイヤルの回転方向を一方向に規制可能とし、且つその回転停止位置を保持可能な逆転防止機構を組み込み、当該外装容器本体に対し、ボトムダイヤルを該逆転防止機構の規制に従って適宜回転操作し、その回転量に応じた容量の糊状充填物を当該ノズル蓋のノズルを通じて供給対象位置に送出可能にしてなるものとした構成かなる絞り出し容器となる。                                                                                            
【発明の効果】
【０００９】
以上のとおり、この発明の絞り出し容器によれば、従前までのものとは違い、上記したとおりの固有の特徴ある構成から、糊状充填物を収容し、その絞り出し操作によって柔軟に変形してしまうインナーチューブを外装容器本体が隠蔽すると共に、ボトムダイヤルが、その接地底部によって卓上などの平面上への自立姿勢での安定保管を実現化するものとなり、外的美感を保ったまま長期に渡って利用することができ、糊状充填物を絞り出す場合には、外装容器本体に対してボトムダイヤルを逆転防止機構の許容する一方向に回転操作すれば、ボトムダイヤルの回転操作量に応じた量の糊状充填物を、ノズル蓋のノズルから供給対象位置に簡単且つ正確に送出することが可能で、過不足無い量の糊状充填物を簡便に絞り出すことができる上、逆転防止機構が、ボトムダイヤルの逆転を規制するから保管中のインナーチューブ中に外気が流入するのを確実に防止し、格段に衛生的な保管を実現可能とすることができ、しかもインナーチューブ中の糊状充填物を使い切った後であれば、誰でも簡単に交換用の新しいインナーチューブと交換することができ、全体を使い捨てする場合に比較し、遙かに経済的で自然環境にも優しいという秀れた特徴が得られるものである。
【００１０】
加えて、緊締機構が、ノズル蓋を外装容器本体の施蓋端に装着すると共に、該外装容器本体の環状施蓋端と、ノズル蓋のノズル座面壁との間に、インナーチューブ開口部の直径方向に突設した共締め縁である環状フランジ部を挟み込み仮固定可能なものとしてなるものは、インナーチューブ開口部固定用の専用部品を設ける場合に比較して、部品点数を減らして製造工場での組み立て工数を格段に削減することができる上、利用者がインナーチューブの交換を行う場合の作業性を高めることができ、しかも開口部の遠心方向に延伸形成した環状フランジ部は、該外装容器本体の環状施蓋端と、ノズル蓋のノズル座面壁との間に挟み込んだ場合に、該フランジ部を開口部よりも小さな直径とした場合に比較して格段に大きな摩擦力を発揮するものとなり、ボトムダイヤル嵌合部からの捩り（絞り）力を受けた場合にでも、インナーチューブ被嵌合部が不用意に回転しないよう一段と確実に回転不能に仮固定可能なものになるという効果を発揮するものとなる。
【００１１】
また、インナーチューブの被嵌合部が、短軸部および同短軸部から均衡する遠心方向に突出する複数本のレバー部からなり、ボトムダイヤルの嵌合部が、ボトムダイヤル内中心にあって、該短軸部が嵌合可能な軸嵌合穴と、各レバー部が嵌合可能な複数のレバー嵌合溝とからなるものは、当該短軸部が、インナーチューブ軟質袋部他端がわと、各レバー部基端との結合強度を大幅に高めるものとなり、不用意な変形や破損をより確実に防止してボトムダイヤルからの回転入力を的確にインナーチューブに伝達することができ、一段と品質に秀れた絞り出し容器を提供できる。
【００１２】
そして、逆転防止機構が、外装容器本体ボトム端寄りの外周壁に一体化した本体冠爪車、および、ボトムダイヤルの該外装容器本体ボトム端寄りの本体冠爪車に対峙する箇所に一体化したボトム冠爪車を互いに噛合してなるものは、本体冠爪車およびボトム冠爪車の全周回りに渡る複数の歯山を形成してあることから、例えばボトムダイヤルを傾けるよう（こじるよう）入力操作してしまったときにも確実に逆回転防止可能であり、一層信頼性に秀れた絞り出し容器を提供することができるという、これまでのものには期待できない大きな効果を奏するものとなる。                                                            
【発明を実施するための最良の形態】
【００１３】
上記したとおりの構成からなるこの発明の実施に際し、その最良もしくは望ましい形態について説明を加えることにする。
外装容器本体は、インナーチューブを保護するよう外装し、外観を美しく保つことができるよう収納可能とするものであり、収容したインナーチューブの開口部に対応する箇所にノズル蓋が対応するよう配し、且つ同インナーチューブの他端に対応する位置には、ボトムダイヤルを回転自在に装着可能とするという機能を担い、片手で把持可能な外径であって、しかもインナーチューブを収納可能な内径に設定した概略筒状のものとし、該筒状体の一端には、ノズル蓋装着用の緊締機構を有する施蓋端を形成し、それとは反対がわの他端には、ボトムダイヤル装着用の軸着機構を有するボトム端を形成し、通常の握力で容易に変形しない程度の剛性を有する形状および素材製のものとしなければならず、例えば、適度に軟質または硬質で透明または不透明な各種合成樹脂製や、ガラス繊維強化樹脂、炭素繊維強化樹脂などの各種複合素材製、金属製、強化ガラス、耐熱ガラスなどの各種ガラス製、木製、厚紙製の外、それらと同等の強度を有する各種素材製のものなどとすることが可能であり、外周壁に滑り止め用の凹凸を形成したり、滑り止め用の外装部品を装着したものなどとすることができる。
【００１４】
緊締機構は、ノズル蓋を外装容器本体の施蓋端に装着可能とすると共に、該外装容器本体内に収容したインナーチューブの開口部を、ノズル蓋のノズル基端に臨む位置に回転不能に固定可能とする機能を果たすものであり、外装容器本体の施蓋端に、ノズル蓋およびインナーチューブの開口部を着脱自在に仮固定可能なものとしなければならないが、ノズル蓋を外装容器本体の施蓋端に一体化したものとし、該ノズル蓋の外装容器本体内に対峙するノズル基端の短筒状内周壁に、インナーチューブ開口部用の脱着機構を組み込んだものに変更することができ、同脱着機構は、例えば、ノズル蓋や外装容器本体の適所から、インナーチューブ開口部のロック、アンロック操作が可能な一個または複数個の嵌着爪機構とすることができる外、当該ノズル蓋の外装容器本体内に対峙するノズル基端の短筒状内周壁に雌ネジを刻設し、これに装着するインナーチューブ開口部の短筒状外周壁に雄ネジを刻設し、互いの雌ネジ、雄ネジ同士を螺合してインナーチューブ開口部をノズル蓋に対して着脱自在に固定可能なものとすることができ、この場合には、ボトムダイヤル用の逆転防止機構が、該雌ネジ、雄ネジ同士の締め付け方向の回転を規制し、螺解方向の回転を許容するものとして、ボトムダイヤルによる絞り出し操作中に該雌ネジ、雄ネジが弛まないように設定したものとしなければならない。
【００１５】
加えて、緊締機構は、後述する実施例に示すように、外装容器本体の短円筒状に形成した施蓋端の外周壁に刻設した雄ネジと、ノズル蓋の短円筒状に形成した装着端内周壁に刻設した雌ネジとからなり、該外装容器本体の環状施蓋端と、ノズル蓋のノズル座面壁との間に、インナーチューブ開口部の直径方向に突設した共締め縁である環状フランジ部を挟み込み仮固定可能なものとすることができ、また、フランジ部の全円周か、円周中の適所一箇所か、円周中の均衡する角度位置毎となる複数箇所かの何れかに、ノズル蓋がわか、外装容器本体の施蓋端がわかの少なくとも何れか一方に嵌合可能な嵌合用凹部および／または嵌合用突部を一体化形成し、外装容器本体に対するインナーチューブの回転をより確実に防止できるようにしたものとすることができる。
【００１６】
ノズル蓋は、外装容器本体の施蓋端に糊状充填物送出用のノズルを形成する機能を担い、同施蓋端に緊締機構を介して着脱自在に装着可能なものとすべきであり、緊締機構による装着に伴い、外装容器本体内に収容したインナーチューブの開口部を回転不能に仮固定可能とするものとすることができ、そのノズル用に開閉機構を設けたものとするのが望ましく、ヒンジ機構を有してワンタッチで開閉可能な開閉キャップや、ノズル先端外周壁に刻設した雄ネジに、着脱自在に螺着可能な雌ネジキャップを設けたものとすることができる外、後述する実施例にも示してあるように、ノズル蓋外壁適所に繋着紐部で連結した嵌合キャップ部をノズル先端に嵌脱自在に装着してなるものとすることができるだけではなく、外装容器本体に装着する装着端の外周壁に滑り止め用の凹凸を形成したものなどとすることができる。
【００１７】
インナーチューブは、糊状充填物を絞り出し可能に収容し、その主要部分を外装容器本体内に収納可能であって、その開口部をノズル蓋に臨ませ、被嵌合部をボトムダイヤルの嵌合部に嵌合するよう装着可能、および／または脱着可能とする機能を果たし、糊状充填物を収容してなる軟質袋部の、当該施蓋端に対応する一端には、緊締機構に固定可能な共締め縁を有する開口部を、また当該ボトム端に対応する他端には、ボトムダイヤルの接地底部とは反対がわとなる軸着機構がわ適所に形成した嵌合部へ嵌合可能とする被嵌合部を夫々形成し、当該軟質袋部は、絞り込み操作に耐えるに充分な耐久強度を有し、糊状充填物を安全に保管可能な素材製のものとしなければならず、例えば、ポリエチレン、ポリプロピレン、ポリスチレン、ポリオレフィン、ポリメチルペンテン、フッ素樹脂、ＥＶＡ、エチレンコポリマー、エチレンエチルアクリレート樹脂、ヒートシール性オレフィンコポリマー、アイオノマー樹脂、ＥＰＤＭ、ＰＥＴ樹脂、ユリヤ樹脂、その他の軟質合成樹脂製、それら合成樹脂製フィルム製、多層フィルム製、補強布積層フィルム製、金属箔積層フィルム製など様々な素材製のものとすることができることは言うまでもない。
【００１８】
インナーチューブ開口部の共締め縁は、緊締機構にて外装容器本体に対し、インナーチューブのノズル蓋に臨む一端が、回転不能に仮固定可能、且つ絞り出される糊状充填物が漏出しないよう、液密状に接続可能となるよう機能するものであり、緊締機構に確実に固定できる程度に充分な強度を有し、且つ、捩り（絞り）入力に耐えるように、インナーチューブ軟質袋部に対して充分な強度で一体化したものとしなければならず、後述する実施例にも示すように、開口部の周囲から直径方向に突設した環状フランジ部とすることができ、緊締機構に対して一段と強固に固定できるよう嵌合可能な凹凸形状としたり、表裏壁面の少なくても一方を粗く加工して高摩擦係数に設定してなるものなどとすることが可能であり、また開口部に密閉用フィルムを剥離可能に貼着したものや、密閉用キャップを離脱可能に装着したものなどとすることも可能である。
【００１９】
インナーチューブ他端の被嵌合部は、インナーチューブ他端にボトムダイヤルの回転操作力を伝達可能とし、且つ、ボトムダイヤルの嵌合部に対しては、インナーチューブ他端を、少なくとも絞り込み回転方向に係合するよう嵌合可能とする機能を分担するものであり、捩り（絞り）入力に耐えるよう、インナーチューブ軟質袋部に対して充分な強度で一体化し、インナーチューブ内の糊状充填物を絞り出す捩り入力に耐えるに充分な強度で、ボトムダイヤルの嵌合部に嵌合可能なものとしなければならず、後述する実施例に示すように、ボトムダイヤル内の中心に対応する短軸部と、同短軸部から均衡する遠心方向に突出する複数本のレバー部とからなるものとすることもできる。
【００２０】
ボトムダイヤルは、外装容器本体のボトム端に、当該絞り出し容器を卓上などの水平面上に安定に接地可能とする底部を形成するようにし、且つ外装容器本体内に収容したインナーチューブの被嵌合部を逆転防止機構が許容する方向に回転操作可能とする機能を果たすものであり、外装容器本体ボトム端に対し、軸着機構を介して回転自在に装着すると共に、その装着に伴ってインナーチューブの被嵌合部に嵌合する嵌合部を形成し、且つ、逆転防止機構によって軸着機構の回転方向を一定方向だけに許容し、逆方向の回転を阻止するものとしなければならず、後述する実施例に示すように、外装容器本体のボトム端に装着する端部とは反対がわの端部に自立用接地底部を一体形成するか、または、別体部品とした接地底部を装着して形成するかの何れかのものとすることができ、更に後述する実施例にも示してあるように、外装容器本体のボトム端に装着するがわの内部の中心に、インナーチューブ被嵌合部の短軸部が嵌合可能な軸嵌合穴、および、インナーチューブ被嵌合部の各レバー部が嵌合可能な複数のレバー嵌合溝を、夫々形成したものとすることができ、外周壁に滑り止め用の凹凸を形成したり、滑り止め用の外装被着部品を装着したものなどとすることもできるのは勿論である。
【００２１】
軸着機構は、外装容器本体のボトム端に、ボトムダイヤルを回転自在に装着可能とする機能を分担し、逆転防止機構の回転規制方向にボトムダイヤルを回転操作したときに、不用意に離脱しない程度の軸着強度を確保可能なものとすべきであり、外装容器本体ボトム端に対し、ボトムダイヤルを離脱不能に組み込むものとすることができる外、後述する実施例にも示すように、外装容器本体ボトム端に対し、ボトムダイヤルを着脱可能に装着してなるものとすることができる。
【００２２】
逆転防止機構は、外装容器本体に対してボトムダイヤルを軸着機構の一定方向にだけ回転可能且つ逆転不能に規制可能とする機能を分担するものであり、外装容器本体内で絞り込まれた（捩れた）インナーチューブの形状復帰力を受けた場合にも、同形状復帰方向に不用意に回転しないよう確実に規制可能なものとしなければならず、利用者が誤って回転規制方向にボトムダイヤルを回転操作した場合に、不用意に規制解除されない程度の規制強度を確保したものとすべきであり、爪車と一個または複数個の爪部品との組み合わせからなる所謂ラチェット機構や、各種ワンウェイクラッチ機構、各種フリーホイール機構など同等の機能を果たす各種機構の何れかを組み込んだものとすることができ、後述する実施例に示してあるように、外装容器本体ボトム端寄りの外周壁に形成した環状段差壁に同心状配置で一体化した本体冠爪車、および、ボトムダイヤルの該外装容器本体ボトム端寄りの環状段差壁に対峙する環状端に同心状配置で一体化したボトム冠爪車を互いに噛合すると共に、それら外装容器本体、本体冠爪車、ボトムダイヤル、ボトム冠爪車の少なくとも何れか一つの弾性変形で、互いの冠爪車の冠爪同士の一方向のみへの乗り越え回転を可能なものとすることができ、該本体冠爪車は、外装容器本体ボトム端寄りの外周壁に形成した環状外爪車に、また、該ボトム冠爪車は、同環状外爪車に対峙させたボトムダイヤル内周壁に形成した環状内爪車に、夫々置き換えて該環状外爪車と環状内爪車とを互いに噛合してなるものとすることができる。
【００２３】
糊状充填物は、ペースト状やゲル状、ゼリー状、半個体状、半液体状、または高粘度液体状などの表現に相当するような糊状物質全般を総称するものであり、例えば、味噌、味噌状の物質、山葵、洋からし、おろし大蒜、マヨネーズ、ケチャップ、各種ソース、各種ペースト、寒天、ゼラチンなどのゼリー、豆腐、こんにゃく、アイスクリーム、ヨーグルト、生クリーム、ホイップ、クリーム、軟質のチーズ、半個体状のチョコレート、ジャム、バター、マーガリン、蜂蜜、水飴、シロップ、歯磨き、糊、グリース、接着剤、シリカゲル、その他の各種食品、各種生活用品類や工業用品類などと様々なものということができる。
以下では、図面に示すこの発明を代表する実施例と共に、その構造について詳述することとする。                                                                                                            
【実施例１】
【００２４】
図１の断面化した絞り出し容器の正面図、図２の分解状態の絞り出し容器の正面図、図３の外装容器本体の平面図、図４の断面化した外装容器本体の正面図、図５の外装容器本体の底面図、図６のノズル蓋の平面図、図７の断面化したノズル蓋の正面図、図８のノズル蓋の底面図、図９のボトムダイヤルの平面図、図１０の断面化したボトムダイヤルの正面図、図１１のボトムダイヤルの底面図、図１２の逆転防止機構の正面図、図１３のボトム冠爪車の平面図、図１４のインナーチューブの平面図、図１５の断面化したインナーチューブの正面図、図１６のインナーチューブの側面図、図１７のインナーチューブの底面図、図１８の密閉用フィルムで封止したインナーチューブの平面図、図１９の断面化した密閉用フィルム封止インナーチューブの正面図、図２０の絞り出し容器の正面図、および、図２１の断面化した絞り出し操作中の絞り出し容器の正面図に示す事例は、硬質筒状体２０の一端に施蓋端２１を、他端にボトム端２２を形成した外装容器本体２を設け、該外装容器本体２内には、糊状充填物Ｐを収容したインナーチューブ３を収納すると共に、同インナーチューブ３開口部３１を、外装容器本体２施蓋端２１にノズル蓋５連結用の緊締機構４で回転不能に仮固定する一方、同インナーチューブ３被嵌合部３４を、外装容器本体２ボトム端２２に対し、回転自在に装着するボトムダイヤル８に回転不能とした上、該ボトムダイヤル８と、それに対峙する外装容器本体２との間に、逆転防止機構７を組み込んでなるものとした、この発明の絞り出し容器における代表的な一実施例を示すものである。
【００２５】
それら各図からも明確に把握できるとおり、この発明の絞り出し容器１は、その主要な外装部分を形成する外装容器本体２が、片手で把持可能な所定外径、および所定長さに設定し、握力で容易に塑性変形しない程度の充分な強度を確保した硬質筒状体２０からなり、図１および図３ないし図５に示すように、同硬質筒状体２０の一端には、ノズル蓋５装着用の緊締機構４の一部をなす雄ネジ４０を有する施蓋端２１を一体化形成し、それとは反対がわの他端に、ボトムダイヤル８装着用に縮径化して環状段差壁２３を形成し、同環状段差壁２３から、ボトムダイヤル８装着用の軸着機構６の一部をなすよう同心短筒状の外周壁に複数本の外環状突部６１，６１，６１を突設した軸着スリーブ６０を一体化形成してなるボトム端２２を設けたものとしてある。
【００２６】
図１および図１４ないし図１７に示すように、インナーチューブ３は、外装容器本体２の内径よりも小さな外径に設定した、円筒状の軟質袋部３０を有し、外装容器本体２内に装着した場合に、施蓋端２１に対応する一端に、当該緊締機構４に固定可能な共締め縁を形成する円環状且つ硬質のフランジ部３２を一体化した開口部３１を有し、同軟質袋部３０の外装容器本体２内に装着した場合に、ボトム端２２に対応する他端には、ボトムダイヤル８の嵌合部８２へ嵌合可能とする硬質な被嵌合部３４を一体化形成してあり、同被嵌合部３４は、軟質袋部３０の円筒形中心に同心状配置となる短円柱形の短軸部３５、および、同短軸部３５の周囲１８０°置きとなる外周壁から夫々、遠心方向に突設した円柱棒状レバー部３６，３６からなっており、図１８および図１９に示してあるように、当該インナーチューブ３軟質袋部３０内には、糊状充填物である味噌Ｐを充填した上、開口部３１フランジ部３２には密閉用フィルム３３を剥離可能に熔着してなるものとしてある。
【００２７】
図１および図６ないし図８に示すように、ノズル蓋５は、外装容器本体２施蓋端２１に被着可能な直径としたノズル座面壁５０の中央から概略円錐状外郭形であって、その先端にキャップ部５４嵌着用の段差部を形成したノズル５１を立設し、該ノズル座面壁５０のノズル５１を立設したのとは反対がわとなる外装容器本体２施蓋端２１に装着するがわの外周縁には、短円筒状で、その内周壁に緊締機構４の他部を形成する雌ネジ４１を刻設した装着端５２を一体化形成した上、同装着端５２外周壁の適所から延伸した軟質繋着紐部５５の先端に、キャップ部５４を一体化してなるものとし、さらに、図２０に示すように、該装着端５２の外周壁には、滑り止め用の凹凸（例えばローレット加工状）加工を施したものとしてある。
【００２８】
したがって、図１、図４および図７に示すように、緊締機構４は、外装容器本体２施蓋端２１の外周壁に刻設した雄ネジ４０と、ノズル蓋５装着端５２内周壁に刻設した雌ネジ４１とからなり、該外装容器本体２の施蓋端２１と、ノズル蓋５のノズル座面壁５０との間に、インナーチューブ３開口部３１のフランジ部（共締め縁）３２を挟み込み仮固定可能としてなるものである。
【００２９】
図１および図９ないし図１１に示すように、ボトムダイヤル８は、当該絞り出し容器１の底部を形成する接地底部８０の外周縁から、外装容器本体２ボトム端２２の軸着スリーブ６０に外装状に装着可能な円筒状で、その外周壁に（図２０に示す如く）滑り止め用の凹凸加工を施してなるダイヤル周壁８１を立ち上げ状に一体化形成し、同ダイヤル周壁８１の内周壁には、軸着機構６の他部をなす内環状突部６２を突設し、該接地底部８０の接地面がわとは反対がわである外装容器本体２ボトム端２２への装着がわとなる壁面がわには、その中央にインナーチューブ３被嵌合部３４に対応する嵌合部８２を有してなるものであり、同嵌合部８２は、被嵌合部３４短軸部３５に嵌合する軸嵌合穴８３、および、被嵌合部３４レバー部３６，３６に嵌合するレバー嵌合溝８４を、夫々刻設したものとしている。
【００３０】
図１、図２、図４、図５、図９、図１０、図１２、図１３、図２０および図２１に示すように、逆転防止機構７は、外装容器本体２ボトム端２２寄りの外周壁に形成した環状段差壁２３に同心状配置で熔着一体化した硬質な本体冠爪車７０、および、ボトムダイヤル８の該外装容器本体２環状段差壁２３に対峙するダイヤル周壁８１の環状端に同心状配置で熔着一体化した硬質なボトム冠爪車７１を、互いに噛合するよう組み合わせてなるものであり、各冠爪車７０，７１の冠爪は、図１２および図１３に示してあるように、周回り１０°毎に１歯ずつ（合計３６個）形成した各歯山の一方の傾斜をなだらかに傾斜させた上、各歯山の他方の傾斜を直立状に立ち上げて一方向にだけ回転するようにし、逆方向への回転を強固に規制可能なものとしてあり、外装容器本体２、本体冠爪車７０、ボトムダイヤル８、ボトム冠爪車７１の中の、例えば外装容器本体２、ボトムダイヤル８の軸着機構６である軸着スリーブ６０、外環状突部６１および内環状突部６２の各部の弾性変形で、互いの冠爪車７０，７１の冠爪同士の一方向への乗り越え回転を可能なものとしてある。
【００３１】
図２中の白抜き実線矢印、および、同図２中の二点鎖線に示すように、当該絞り出し容器１は、外装容器本体２内にインナーチューブ３を所定の向きに装填するようにし、インナーチューブ３開口部３１のフランジ部３２を外装容器本体２施蓋端２１に重ねると共に、同図２中の破線白抜き矢印に示すように、ノズル蓋５を緊締機構４の雄ネジ４０および雌ネジ４１で締め付け、フランジ部３２が回転不能に仮固定されたものとする一方、外装容器本体２ボトム端２２から露出するインナーチューブ３被嵌合部３４の短軸部３５、レバー部３６，３６をボトムダイヤル８嵌合部８２の軸嵌合穴８３、レバー嵌合溝８４，８４に嵌合させた上、外装容器本体２ボトム端２２の軸着機構６軸着スリーブ６０に、ボトムダイヤル８ダイヤル周壁８１内環状突部６２を、外環状突部６１，６１，６１の対応箇所に回転自在に組み合わせ嵌合し、且つ、図１、図１２および図２０に示すように、逆転防止機構７の本体冠爪車７０とボトム冠爪車７１とが噛合した状態に組み立ててなるものとである。
【００３２】
（実施例１の作用・効果）
以上のとおりの構成からなるこの発明の絞り出し容器１は、図２、図１８および図１９に示すように、工場生産中、保管、輸送、店頭陳列および購入者が持ち帰り、使用する直前までの間、インナーチューブ３の開口部３１が、密閉用フィルム３３によって密閉状態に保持されるから、糊状充填物である味噌Ｐを衛生且つ生鮮な状態に維持できるものとなり、当該絞り出し容器１の使用を開始する場合には、ノズル蓋５（緊締機構４）を一度、外して露出させたインナーチューブ３の開口部３１フランジ部３２から密閉用フィルム３３を剥がして開封し、再びノズル蓋５（緊締機構４）を外装容器本体２施蓋端２１に螺合装着し、緊締機構４の外装容器本体２施蓋端２１とノズル蓋５ノズル座面壁５０との間にインナーチューブ３開口部３１のフランジ部３２を強固に挟み込み、外装容器本体２に対してインナーチューブ３が回転しないよう確り仮固定する。
【００３３】
当該絞り出し容器１は、図示しない水平な卓上などに、図１に示すように、縦姿勢でボトムダイヤル８の接地底部８０を接地するよう安定に自立させることが可能であり、例えば、味噌汁などを造る場合には、図２０に示すように、ノズル５１からキャップ部５４を外し、図示しない鍋に直接か汁杓子、濾し網などの何れかの目標物に、図２１に示すように、ノズル５１を向けるよう傾けて片方の手で外装容器本体２硬質筒状体２０を保持するようにし、もう片方の手でボトムダイヤル８を把持して、同図２１中の実線矢印に示すように、逆転防止機構７が許容する一定方向に回転操作すると、インナーチューブ３軟質袋部３０が捩れ、同軟質袋部３０内に充填してある味噌Ｐが、同図２１中の二点鎖線矢印に示すように、ノズル５１先端から、ボトムダイヤル８の回転量に応じた量を過不足無く正確に送出することができ、しかも、図１２に示すように、逆転防止機構７の本体冠爪車７０とボトム冠爪車７１とは、ボトムダイヤル８の逆転を常時規制するものとなることから、インナーチューブ３中に外気が流入するのを確実に防止するものとなり、図１に示すように、使用後は、ノズル５１にキャップ部５４を装着して密閉状とした上、卓上などに自立姿勢で保管することができ、さらに、インナーチューブ３中の味噌Ｐを使い切った後には、図２中に示してある破線白抜き矢印とは逆に、ノズル蓋５を取り外すようにして空のインナーチューブ３を除去してから、交換用の新しいインナーチューブ３を前述と同様に装填した後、密閉用フィルム３３を開封し、ノズル蓋５で締め付け閉鎖するようにして外装容器本体２、ノズル蓋５およびボトムダイヤル８を再利用することができる。
【００３４】
さらに、当該絞り出し容器１は、糊状充填物Ｐを味噌Ｐ以外の、例えば各種ジャムやマヨネーズなどを充填した複数種類のインナーチューブ３，３，……を準備して置き、必要に応じて、ノズル蓋５を洗浄、再利用するか、新しいものと交換するかして、外装容器本体２内に所望のインナーチューブ３を選択的に装填、組み立てして適宜利用可能なものとすることができる。
【００３５】
（結  び）
叙述の如く、この発明の絞り出し容器は、その新規な構成によって所期の目的を遍く達成可能とするものであり、しかも製造も容易で、従前からのチューブ充填食品類技術に比較して、使用期間中に渡って外装形状を維持して外的美感を保つことができるから、卓上などの保管性に秀れたものとすることができる上、チューブ中に外気が流入するのを確実に防止して糊状充填物の衛生的な長期保管を実現化し、その結果、再度使用の際の絞り出し反応は常に円滑になるという利点を備えたものになると共に、インナーチューブを交換すれば何度でも再利用可能となり、使い捨てするものより遙かに経済的で自然環境にも優しいから、食卓や冷蔵庫内に並ぶ変形したチューブ入り調味料類の雑然とした外観に辟易していた一般家庭は固よりのこと、ペースト状やゲル状などの各種食品類や各種家庭用品類、各種工業用品類などを製造、販売する食品業界や文房具業界、工業用品業界などにおいても高く評価され、広範に渡って利用、普及していくものになると予想される。                                              
【図面の簡単な説明】
【００３６】
図面は、この発明の絞り出し容器の技術的思想を具現化した代表的な幾つかの実施例を示すものである。
【図１】断面化した絞り出し容器を示す正面図ある。
【図２】分解状態の絞り出し容器を示す正面図である。
【図３】外装容器本体を示す平面図である。
【図４】断面化した外装容器本体を示す正面図である。
【図５】外装容器本体を示す底面図である。
【図６】ノズル蓋を示す平面図である。
【図７】断面化したノズル蓋を示す正面図である。
【図８】ノズル蓋を示す底面図である。
【図９】ボトムダイヤルを示す平面図である。
【図１０】断面化したボトムダイヤルを示す正面図である。
【図１１】ボトムダイヤルを示す底面図である。
【図１２】逆転防止機構を示す正面図である。
【図１３】ボトム冠爪車を示す平面図である。
【図１４】インナーチューブを示す平面図である。
【図１５】断面化したインナーチューブを示す正面図である。
【図１６】インナーチューブを示す側面図である。
【図１７】インナーチューブを示す底面図である。
【図１８】密閉用フィルムで封止したインナーチューブを示す平面図である。
【図１９】断面化した密閉用フィルム封止インナーチューブを示す正面図である。
【図２０】絞り出し容器を示す正面図である。
【図２１】断面化した絞り出し操作中の絞り出し容器を示す正面図である。
【符号の説明】
【００３７】
１      絞り出し容器
２      外装容器本体
２０    同  硬質筒状体
２１    同  施蓋端
２２    同  ボトム端
２３    同  環状段差壁
３      インナーチューブ
３０    同  軟質袋部
３１    同  開口部（一端）
３２    同  フランジ部（共締め縁）
３３    同  密閉用フィルム
３４    同  被嵌合部（他端）
３５    同  短軸部
３６    同  レバー部
Ｐ      味噌（糊状充填物）
４      緊締機構
４０    同  雄ネジ
４１    同  雌ネジ
５      ノズル蓋
５０    同  ノズル座面壁
５１    同  ノズル
５２    同  装着端
５３    同  開閉機構
５４    同  キャップ部
５５    同  繋着紐部
６      軸着機構
６０    同  軸着スリーブ
６１    同  外環状突部
６２    同  内環状突部
７      逆転防止機構
７０    同  本体冠爪車
７１    同  ボトム冠爪車
８      ボトムダイヤル
８０    同  接地底部
８１    同  ダイヤル周壁
８２    同  嵌合部
８３    同  軸嵌合穴
８４    同  レバー嵌合溝                                                                                              
【図１】
2011219137.tif 000003
【図２】
2011219137.tif 000004
【図３】
2011219137.tif 000005
【図４】
2011219137.tif 000006
【図５】
2011219137.tif 000007
【図６】
2011219137.tif 000008
【図７】
2011219137.tif 000009
【図８】
2011219137.tif 000010
【図９】
2011219137.tif 000011
【図１０】
2011219137.tif 000012
【図１１】
2011219137.tif 000013
【図１２】
2011219137.tif 000014
【図１３】
2011219137.tif 000015
【図１４】
2011219137.tif 000016
【図１５】
2011219137.tif 000017
【図１６】
2011219137.tif 000018
【図１７】
2011219137.tif 000019
【図１８】
2011219137.tif 000020
【図１９】
2011219137.tif 000021
【図２０】
2011219137.tif 000022
【図２１】
2011219137.tif 000023